(57)【要約】      （修正有）【課題】標準記録モードと高密度記録モードの実行可能な光ディスク装置において、高記録モードの光ディスクを的確に判別することのできる光ディスク装置を提供する。【解決手段】光ディスク２００に対して、第１のフォーマットに即した記録及び再生を行う第１のモード、又は、前記第１のフォーマットより記録密度が高い第２のフォーマットに即した記録及び再生を行う第２のモードのいずれか一方を選択して実行可能な光ディスク装置１００において、当該光ディスク装置１００に装着された光ディスク２００に対して前記第２のフォーマットに基づいて設定されるデータ領域から記録データを読み出し、前記読み出した記録データをデコードした結果に基づいて当該装着された光ディスク２００が前記第２のモードで記録されているか否かの判別を行う制御手段を有する。【選択図】      図１
2005018893.tif 000002
【特許請求の範囲】
【請求項１】
光ディスクに対して、第１のフォーマットに即した記録及び再生を行う第１のモード、又は、前記第１のフォーマットより記録密度が高い第２のフォーマットに即した記録及び再生を行う第２のモードのいずれか一方を選択して実行可能な光ディスク装置において、
当該光ディスク装置に装着された光ディスクに対して前記第２のフォーマットに基づいて設定されるデータ領域から記録データを読み出し、前記読み出した記録データをデコードした結果に基づいて当該装着された光ディスクが前記第２のモードで記録されているか否かの判別を行う制御手段を有することを特徴とする光ディスク装置。
【請求項２】
前記第２のフォーマットでは、前記データ領域の記録状態を管理するための管理データが記録される管理領域を前記光ディスクに設定しており、
前記制御手段は、
前記装着された光ディスクに対して前記第２のフォーマットに基づいて設定される前記管理領域から前記管理データを読み出して、
前記読み出した管理データをデコードした結果が正常である場合には、前記装着された光ディスクが前記第２のモードで記録されていると判別し、
前記読み出した管理データをデコードした結果が正常でない場合には、前記データ領域から前記記録データを読み出して、
前記読み出した記録データをデコードした結果が正常である場合には、前記装着された光ディスクが前記第２のモードで記録されていると判別し、
前記読み出した記録データをデコードした結果が正常でない場合には、前記装着された光ディスクを判別不能と判別することを特徴とする請求項２に記載の光ディスク装置。
【請求項３】
前記制御手段は、
前記管理データをデコードした結果が正常でなく且つ前記読み出した記録データをデコードした結果が正常である場合、前記管理データを補正した補正データを生成して前記管理領域に記録する制御を行うことを特徴とする請求項２に記載の光ディスク装置。
【請求項４】
前記第２のフォーマットでは、前記データ領域を複数ブロックに区分して当該ブロックの単位で記録又は再生を行うように設定しており、
前記制御手段は、
前記データ領域の少なくとも先頭のブロックに対して、当該先頭のブロックに記録されている記録データをデコードする制御を行うことを特徴とする請求項１乃至３のいずれかに記載の光ディスク装置。
【請求項５】
前記制御手段は、
前記データ領域から連続して読み出したＲＦ信号のレベルに基づいて前記データ領域内の記録データの有無を判別し、前記記録データ有りと判別した前記データ領域内の領域に対して当該記録データをデコードする制御を行うことを特徴とする請求項１乃至４のいずれかに記載の光ディスク装置。
【請求項６】
光ディスクに対して、第１のフォーマットに即した記録及び再生を行う第１のモード、又は、前記第１のフォーマットより記録密度が高い第２のフォーマットに即した記録及び再生を行う第２のモードのいずれか一方を選択して実行可能な光ディスク装置の光ディスク判別方法において、
当該光ディスク装置に装着された光ディスクに対して前記第２のフォーマットに基づいて設定されるデータ領域から記録データを読み出し、前記読み出した記録データをデコードした結果に基づいて当該装着された光ディスクが前記第２のモードで記録されているか否かの判別を行うことを特徴とする光ディスク判別方法。
【発明の詳細な説明】
【０００１】
【発明の属する技術分野】
本発明は、標準記録モード又は高密度記録モードを選択して実行可能である光ディスク装置において高密度記録モードで記録される光ディスクを的確に判別可能な光ディスク装置及び光ディスクの判別方法に関する。
【０００２】
【従来の技術】
レーザー光を利用して情報の記録・再生可能な光ディスクの規格の一つとして、データ追記型（Ｗｒｉｔｅ  Ｏｎｃｅ）のＣＤ−Ｒや、書き換え可能型（ＲｅＷｒｉｔａｂｌｅ）のＣＤ−ＲＷなどのＣＤ（Ｃｏｍｐａｃｔ  Ｄｉｓｋ）規格がある。近年、ＣＤ−Ｒ及びＣＤ−ＲＷディスクについては、低価格化と併せて普及率が拡大しており、広く一般化されている。
【０００３】
記録・再生が可能なＣＤ規格のディスクフォーマットに則した光ディスク（ＣＤメディア）では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  ｔｉｍｅ  Ｉｎ  Ｐｒｅｇｒｏｏｖｅ）アドレスを取得できる。また、ＡＴＩＰアドレスは、ＣＤ規格のデータフォーマット（データ構造）に則してデータの記録・再生を行う光ディスク装置において、ＣＤメディア上でのデータの記録及び再生位置を管理するための管理情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクなどのＣＤメディアの標準の記録容量ではこうしたニーズに対応できない。
【０００５】
そこで、光ディスク装置では、ＣＤメディアに対して、ＣＤ規格のデータフォーマットを用いてデータの記録及び再生を行う標準記録モードの他に、ＤＶＤ（Ｄｉｇｉｔａｌ  Ｖｅｒｓａｔｉｌｅ  Ｄｉｓｋ）規格といったＣＤ規格よりもフォーマット効率が高いデータフォーマット（データ構造）を用いて記録及び再生を行う高密度記録モードをサポートする技術が提案されている（以下、当該技術をサポートする光ディスク装置を従来の光ディスク装置と称する）。なお、ＤＶＤ規格のデータフォーマットでは、ＣＤ規格で採用される誤り訂正符号ＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）と比べてデータサイズが小さい誤り訂正符号ＲＳ（Ｒｅｅｄ  Ｓｏｌｏｍｏｎ）−ＰｒｏｄｕｃｔＣｏｄｅを採用しているので、その分フォーマット効率が高くなっており高密度記録を可能としている。
【０００６】
また、ＤＶＤ規格では、光ディスク（ＤＶＤメディア）上に設定されたセクタのヘッダー部において、当該セクタを識別するためのＩＤ（Ｉｄｅｎｔｉｆｉｃａｔｉｏｎ  Ｄａｔａ）情報が記録されている。そこで、従来の光ディスク装置は、当該ＩＤ情報に対応づけられた高密度記録用アドレスを利用することによって、光ディスク（ＣＤメディア）への高密度記録を行っている（例えば、以下に示す特許文献１参照）。
【０００７】
【特許文献１】
特開２００２−５６６１７号公報
【０００８】
【発明が解決しようとする課題】
ところで、従来の光ディスク装置は、高密度記録モードによって記録された光ディスクを既存のＣＤ−Ｒ／ＲＷドライブにてアクセスする際の誤動作などを防止するために、同一の光ディスク（ＣＤメディア）上で異なる記録モード（データフォーマット）に基づいた記録データが混在することを禁止すべく設計されている。このため、従来の光ディスク装置は、標準記録モード又は高密度記録モードによって既に記録された状態にある光ディスクへの追記や書き換えを行う場合には、装着された光ディスクが標準記録モードで記録された状態にあるか又は高密度記録モードで記録された状態にあるかを的確に判別を行う必要がある。
【０００９】
ここで、従来の光ディスク装置は、通常、当該光ディスクに設定されたＰＭＡ（Ｐｒｏｇｒａｍ  Ｍａｎａｇｅｍｅｎｔ  Ａｒｅａ）内の管理データＰＭＤ（Ｐｒｏｇｒａｍ  Ｍａｎａｇｅｍｅｎｔ  Ｄａｔａ）をデコードした結果に基づいて、高密度記録モードによって記録された光ディスクであるか否かを判別している。なお、管理データＰＭＤは、当該光ディスクに設定されたデータ領域の記録状態を管理するためのデータであり、記録済み又は予約済みトラックの開始及び終了アドレスや、記録種別（Ｗｒｉｔｅ  Ｔｙｐｅ）などを有している。
【００１０】
しかしながら、ＰＭＡにおいて管理データＰＭＤの更新が頻繁に行われるために、誤った管理データＰＭＤがＰＭＡに記録される機会が多くなる。この場合、ＰＭＡ内の管理データＰＭＤをデコードした結果が正常ではなくなるので、当該光ディスクに設定されたデータ領域には記録データが正常に記録されているにも関わらず、高密度記録モードで記録された光ディスクと判別されないことが起こり得る。この時、標準記録モードで記録された光ディスクとして誤って判別されてしまうと、当該光ディスク装置の誤動作を引き起こす要因となり、一方、不正ディスクとして判別されてしまうと、当該光ディスクに既に記録されている記録データを以後再生できずに無駄にしてしまう恐れが生じる。
【００１１】
本発明は、前述した経緯に基づいてなされたものであり、標準記録モード又は高密度記録モードを選択して実行可能である光ディスク装置において、高密度記録モードで記録された光ディスクを的確に判別可能な光ディスク装置及び光ディスクの判別方法を提供することを目的とする。
【００１２】
【課題を解決するための手段】
前記課題を解決するための主たる本発明は、光ディスクに対して、第１のフォーマットに即した記録及び再生を行う第１のモード、又は、前記第１のフォーマットより記録密度が高い第２のフォーマットに即した記録及び再生を行う第２のモードのいずれか一方を選択して実行可能な光ディスク装置において、当該光ディスク装置に装着された光ディスクに対して前記第２のフォーマットに基づいて設定されるデータ領域から記録データを読み出し、前記読み出した記録データをデコードした結果に基づいて当該装着された光ディスクが前記第２のモードで記録されているか否かの判別を行う制御手段を有することとする。
【００１３】
本発明によれば、仮にＰＭＡ内の管理データＰＭＤが正常に検出されないような場合であっても、データ領域内の第２のフォーマットに即して記録された記録データが正常に検出された（デコードした結果が正常である）場合には、装着された光ディスクを第２のフォーマットに即して記録された光ディスクとして的確に判別することができる。このため、当該光ディスク装置の誤動作を防止できるとともに、既にデータ領域４１０内に記録されている記録データを無駄にすることなく再生可能とする。
本発明の他の特徴については、添付図面及び本明細書の記載により明らかにする。
【００１４】
【発明の実施の形態】
＝＝＝実施例＝＝＝
以下、本発明の実施の形態を図面に基づいて具体的に説明する。
【００１５】
＜システム構成＞
本発明の一実施形態である光ディスク装置１００を含めたシステムの概略構成を、図１を用いて説明する。ここで、図１に示す光ディスク装置１００は、既存のＣＤ規格のディスクフォーマットに則した光ディスク（ＣＤメディア）２００に対して、ＣＤ規格のデータフォーマット（『第１のフォーマット』）を用いてデータの記録及び再生を行う標準記録モード（『第１のモード』）と、ＣＤ規格と比較してフォーマット効率の高い、すなわち、誤り訂正符号など記録データに付加する冗長データのサイズが小さい（冗長度が低い）ＤＶＤ規格などのデータフォーマット（『第２のフォーマット』）を用いてデータの記録及び再生を行う高密度記録モード（『第２のモード』）のいずれか一方を選択して実行する仕組みを兼ね備えている。
【００１６】
まず、光ディスク（ＣＤメディア）２００では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  Ｔｉｍｅ  Ｉｎ  Ｐｒｅｇｒｏｏｖｅ）アドレスを取得することができる。
【００１７】
光ディスク装置１００は、同図に示すとおり、光学ヘッド１、フロントエンド処理部２、光学ヘッドサーボ回路３、再生レベル検出回路４、ＷＢＬ検出部５、ＡＴＩＰデコーダ６、ＰＳＮデコーダ７、ＰＬＬ回路８、高密度記録モード用デコーダ９、標準記録モード用デコーダ１０、高密度記録モード用エンコーダ１１、標準記録モード用エンコーダ１２、インタフェース部１３、ＲＡＭ１４、システム制御マイコン（『制御手段』）１５、レーザー出力制御回路１６、レーザー駆動回路１７、スピンドルモーター１８、モーター駆動回路１９、モーター制御回路２０を有する。
【００１８】
光学ヘッド１は、対物レンズ（不図示）と、この対物レンズを介して光ディスク２００に対してレーザー光を出射するレーザー素子１ａと、光ディスク２００からの反射光を受光する受光素子（不図示）などが組み込まれている。また、光学ヘッド１には、光学ヘッド１を記録・再生対象の記録トラックに移動させるためのスライド機構、光ディスク２００に出射したレーザー光を記録・再生対象の記録トラックに追従させる制御（トラッキング制御）を行うためのトラッキング機構、光ディスク２００に出射したレーザー光の焦点ずれを補正する制御（フォーカス制御）を行うためのフォーカス機構、などが組み込まれている（いずれも不図示）。
【００１９】
フロントエンド処理部２は、マトリクス演算回路や増幅回路や波形整形回路（イコライザ）などで構成されるＲＦアンプ、３ビーム法、プッシュプル法やＤＰＤ（Ｄｉｆｆｅｒｅｎｔｉａｌ  Ｐｈａｓｅ  Ｄｅｔｅｃｔｉｏｎ）法などに基づいたトラッキング誤差信号生成回路、非点収差法やフーコー法などに基づいたフォーカス誤差信号生成回路などを備える（いずれも不図示）。
【００２０】
ＲＦアンプは、光学ヘッド１の受光素子（不図示）にて受光光量に応じて生成された電気信号に基づいて、記録・再生対象の記録トラック上にあるピットの有無を判別するためのＲＦ信号（ラジオ周波信号）を生成する。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報も含むことになる。
【００２１】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００２２】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００２３】
ＲＦ信号２値化処理部４は、フロントエンド処理部２のＲＦアンプから出力されたＲＦ信号を受信して当該ＲＦ信号を２値化するための処理を行う。例えば、コンパレータなどによって構成できる。なお、ＲＦ信号２値化処理部４は、２値化後の２値化ＲＦ信号をシステム制御マイコン１５に対して送信する。
【００２４】
ＷＢＬ検出部５は、ＢＰＦ（Ｂａｎｄ  Ｐａｓｓ  Ｆｉｌｔｅｒ）回路やコンパレータ等によって構成される。ＢＰＦ回路は、フロントエンド処理部２にて生成されたＲＦ信号を受信してウォブリング周波数成分（中心周波数２２．０５ｋＨｚ）を抽出する。コンパレータは、前述のウォブリング周波数成分と基準電圧との比較によって２値化ＷＢＬ（Ｗｏｂｂｌｅ）信号を生成し、ＡＴＩＰデコーダ６やモーター制御回路２０に送信する。
【００２５】
ＡＴＩＰデコーダ６は、ＷＢＬ検出部５から受信した１ＡＴＩＰ区間あたりのＷＢＬ信号をデコードしてＡＴＩＰアドレスを生成する。なお、１ＡＴＩＰ区間あたりのＷＢＬ信号には、同期検出用のパターン、製造メーカーやディスク種別など当該光ディスク２００を個別に識別するための識別情報、ＡＴＩＰアドレス等を含めたウォブリング情報、当該ウォブリング情報のビット誤りを検出するためのＣＲＣデータなどを含んでいる（図２参照）。
【００２６】
また、ＡＴＩＰデコーダ６は、ＣＲＣチェック回路６ａを有している。ＣＲＣチェック回路６ａは、１ＡＴＩＰ区間あたりのＷＢＬ信号からＡＴＩＰアドレスが正常にデコードしたか否かを判別するために、前述のＣＲＣデータに基づいてＣＲＣチェックを行う。なお、ＡＴＩＰアドレスのデコード結果の検査方式としては、ＣＲＣチェック方式に限定されるものではなく、例えば、パリティビットを用いたパリティチェック方式やＥＣＣ（Ｅｒｒｏｒ  Ｃｏｒｒｅｃｔｉｎｇ  Ｃｏｄｅ）を用いたＥＣＣチェック方式を採用してもよい。
【００２７】
ＰＳＮデコーダ７は、光ディスク２００が未記録状態である場合、ＡＴＩＰデコーダ６にてデコードしたＡＴＩＰアドレスを受信して高密度記録用アドレスとしてのＰＳＮアドレスに変換する。一方、光ディスク２００が高密度記録された状態にある場合、ＰＳＮデコーダ７は、フロントエンド処理部２からＲＦ信号に含まれるＩＤ（Ｉｄｅｎｔｉｆｉｃａｔｉｏｎ  Ｄａｔａ）情報を受信してＰＳＮアドレスに変換する。なお、ＩＤ情報とは、光ディスク装置１００が、記録トラック上でＰＳＮアドレスによって論理的に区分された各区分領域を識別するための情報であり、記録データ及びパリティビットと併せて光ディスク２００に記録されている（図３参照）。
【００２８】
ＰＬＬ回路８は、位相比較器、チャージポンプ、ＬＰＦ、ＶＣＯ、分周回路などを備える。この構成において、ＰＬＬ回路８は、ＷＢＬ検出部５から受信したＷＢＬ信号に基づいて、標準記録モード又は高密度記録モードでのデータ再生時におけるデコード処理のために、タイミング信号として用いられるクロック信号を生成する。
【００２９】
高密度記録モード用デコーダ９は、高密度記録モードによる再生を行う場合に、ＤＶＤ規格のデータフォーマットに対応したデコード処理を行う。なお、ＤＶＤ規格のデータフォーマットでは、変調コードとしてＥＦＭ−ｐｌｕｓ（８／１６変調）、誤り訂正符号としてＲＳ−ＰｒｏｄｕｃｔＣｏｄｅを採用している。そこで、高密度記録モード用デコーダ９は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３０】
標準記録モード用デコーダ１０は、標準記録モードによる再生を行う場合に、ＣＤ規格のデータフォーマットに対応したデコード処理を行う。なお、ＣＤ規格のデータフォーマットでは、変調コードとしてＥＦＭ（８／１４変調）、誤り訂正符号としてＣＩＲＣを採用している。そこで、標準記録モード用デコーダ１０は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３１】
高密度記録モード用エンコーダ１１は、パソコン等の情報処理装置（不図示）からインタフェース部１４を介して入力される記録データに関して、ＤＶＤ規格のデータフォーマットに対応したエンコード処理を行う。このエンコード処理としては、記録・再生時の誤り訂正単位である１ＥＣＣブロックを構成するための処理や、ＥＦＭ−ｐｌｕｓ変調処理及びスクランブル処理などが該当し、これらの処理が施された後の記録用変調信号をレーザー出力制御回路１６に送信する。
【００３２】
標準記録モード用エンコーダ１２は、パソコン等の情報処理装置（不図示）からインタフェース部１４を介して入力される記録データに関して、ＣＤ規格のデータフォーマットに対応したエンコード処理を行う。このエンコード処理としては、記録・再生時の誤り訂正単位であるＣＩＲＣ符号化処理や、ＥＦＭ変調処理及びスクランブル処理などが該当し、これらの処理が施された後の記録用変調信号をレーザー出力制御回路１６に送信する。
【００３３】
インタフェース部１３は、光ディスク装置１００とパソコン等の情報処理装置（不図示）などとの間における記録・再生データの送受信を制御する。
【００３４】
ＲＡＭ１４は、当該情報処理装置（不図示）からインタフェース部１３を介して再生要求を受信した場合に、高密度記録モード用デコーダ９においてデコード処理中の中間データやデコード処理後の再生データを一時記憶する。この一時記憶された再生データは、インタフェース部１３を介して当該情報処理装置（不図示）に送信される。
また、ＲＡＭ１４は、当該情報処理装置（不図示）からインタフェース部１３を介して受信した記録データを一時記憶する。この一時記憶された記録データは、高密度記録モード用エンコーダ１１でのエンコード処理の際にアクセスされる。
【００３５】
システム制御マイコン１５は、光ディスク２００の記録及び再生に係る光ディスク装置１００全般のシステム制御を司る。例えば、システム制御マイコン１５は、当該情報処理装置（不図示）から標準記録モード又は高密度記録モードのいずれか一方が指定されるとともに、ＰＳＮアドレスを含めた記録要求コマンドを受信した場合には、当該ＰＳＮアドレスに対応づけられた記録領域への記録データに対して指定された記録モードに応じたエンコード処理を実行すべく制御を行う。同様に、システム制御マイコン１５は、当該情報処理装置（不図示）から標準記録モード又は高密度記録モードのいずれか一方を指定されてＰＳＮアドレスを含めた再生要求コマンドを受信した場合には、当該ＰＳＮアドレスに対応づけられた記録領域から再生されたデータに対して指定された記録モードに応じたデコード処理を実行すべく制御を行う。
また、システム制御マイコン１５は、特に、ディスク判別処理部１５ａの機能をファームウェア（プログラム）又はハードウェアによって実現する。
【００３６】
ディスク判別処理部１５ａは、ＡＴＩＰデコーダ６から受信する光ディスク２００の識別情報に基づいて、当該光ディスク２００の製造メーカーやディスク種別などを判別する。なお、光ディスク装置１００は、同一ディスク上で異なる記録モード（データフォーマット）による記録データが混在することを禁止している。そこで、ディスク判別処理部１５ａは、光ディスク２００が既に記録された状態にある場合、標準記録モード又は高密度記録モードのいずれのモードで当該記録が実行されたのかについて判別を行う。この判別方法については、例えば、ＰＬＬ回路８で生成されたクロック信号に基づいて１ＡＴＩＰ区間について記録されているデータサイズを計測し、この計測したデータサイズに基づいてモード判別を行う。
【００３７】
レーザー出力制御回路１６は、高密度記録モード用エンコーダ１１又は標準記録モード用エンコーダ１２から受信した記録用変調信号に基づいて、レーザー素子１ａをレーザー発光駆動するためのパルス信号を生成してレーザー駆動回路１７に送信する。また、レーザー出力制御回路１６は、システム制御マイコン１５による制御下で、レーザー素子１ａから出射されるレーザー光の最適記録パワー値を設定するためのＯＰＣを実行する。
【００３８】
レーザー駆動回路１７は、レーザー出力制御回路１６から受信したパルス信号に基づいて、レーザー素子１ａを記録時においてレーザー発光駆動する。これによって、レーザー素子１ａからレーザー光が出射され、高密度記録モード用エンコーダ１１又は標準記録モード用エンコーダ１２出力の記録用変調信号に応じたピットが光ディスクの記録トラックに形成されることになる。
【００３９】
一方、再生時では、フロントエンド処理部２の内部又は外部に備える不図示のＡＰＣ（Ａｕｔｏｍａｔｉｃ  Ｐｏｗｅｒ  Ｃｏｎｔｒｏｌ）回路の制御下で、レーザー駆動回路１７は、レーザー素子１ａをレーザー発光駆動する。なお、光学ヘッド１には、レーザー素子１ａから出射されるレーザー光のパワーを検出するための検出器（不図示）が備わっており、ＡＰＣ回路は、この検出器にて検出されたレーザー光のパワーを監視しつつ、レーザー素子１ａから出射されるレーザー光のパワーを一定とするためのＡＰＣを実行する。
【００４０】
スピンドルモーター１８は、光ディスク２００を回転駆動するモーターであり、モーター駆動回路１９は、スピンドルモーター１８を回転駆動するための回路である。モーター制御回路２０は、ＷＢＬ検出部５から受信したＷＢＬ信号に基づくウォブリング周波数の情報を用いて、ＣＤ規格による線速度一定方式にてスピンドルモーター１８の回転駆動制御を行うための回路である。あるいは、スピンドルモーター１８の回転に応じて発生するパルス信号を用いて、角速度一定方式にてスピンドルモーター１８の回転駆動制御を行ってもよい。
【００４１】
以上が、光ディスク装置１００の主な構成要素の概要である。なお、光ディスク装置１００は、ユーザーの利便性を鑑みて、ＤＶＤ−ＲやＤＶＤ−ＲＷなどのＤＶＤ（Ｄｉｇｉｔａｌ  Ｖｅｒｓａｔｉｌｅ  Ｄｉｓｋ）規格のディスクフォーマットに即した光ディスク２００（ＤＶＤメディア）に対して、当該ＤＶＤ規格のデータフォーマットに基づいた記録及び再生を行うための周知な仕組みを新たに組み込んでもよい。
【００４２】
＜データフォーマット＞
＝＝＝  標準記録モードの場合  ＝＝＝
まず、図２を用いて、標準記録モードの場合に採用されるデータフォーマット（データ構造）について説明する。同図に示すとおり、光ディスク２００に記録されるデータの最小単位は、ＣＤ規格のＥＦＭ（８／１４変調）変調方式に基づいた１ＥＦＭフレームとなる。そして、９８ＥＦＭフレームにて５８８ビットの１フレームが構成される。また、この１フレームによって、”Ｐ，Ｑ，Ｒ，…，Ｗ”からなる１サブコーディングフレーム（トラック番号、インデックス情報、絶対・相対アドレス等を含む）が生成される。
【００４３】
また、光ディスク２００の内周部の記録トラックから外周部の記録トラックに向かって、記録トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（ｍｉｎｕｔｅ）」を示し、続く８ビットは「秒（ｓｅｃｏｎｄ）」を示し、下位８ビットは「フレーム」を示す。
【００４４】
また、１秒間あたりのフレーム数は”７５”である。ここで、”１／７５”秒間に相当するＡＴＩＰアドレスによって設定される記録領域（以下、１ＡＴＩＰ区間と称する。）は、光ディスク装置１００において記録・再生単位として扱う１セクタとなる。この１セクタ分の記録領域は、通常、２ｋバイトで構成され、前述したようにシンクパターン、識別子、ウォブリング情報、ＣＲＣデータなどが記録される。
【００４５】
＝＝＝  高密度記録モードの場合  ＝＝＝
つぎに、図３を用いて、高密度記録モードの場合に採用されるデータフォーマット（データ構造）について説明する。高密度記録モードでは、標準記録モードと比較して例えば２．０倍の記録密度を実現するよう規定される。このため、高密度記録モードの場合に採用されるデータフォーマットとしては、前述の１ＡＴＩＰ区間に対して、２セクタ分、すなわち４ｋバイトのデータを記録することになる。なお、１セクタ分の記録領域には、同図に示すとおり、ＩＤ情報、記録データ及びパリティビットが記録される。
【００４６】
また、高密度記録モードのデータフォーマットでは、ＤＶＤ規格に則した変調・復調方式を採用しているため、リードソロモン符号による誤り訂正を行う単位である１ＥＣＣ（Ｅｒｒｏｒ  Ｃｏｒｒｅｃｔｉｏｎ  Ｃｏｄｅ）ブロック単位での記録・再生が行われる。なお、１ＥＣＣブロックは１６セクタ分（３２ｋバイト）のデータとして規定されており、例えば８ＡＴＩＰ区間に相当する記録領域に記録される。
【００４７】
＜ディスクフォーマット＞
＝＝＝  標準記録モードの場合  ＝＝＝
まず、標準記録モードの場合に採用される光ディスク（ＣＤメディア）２００のディスクフォーマットについて図４を用いて説明する。
標準記録モードの場合のディスクフォーマット４００では、光ディスク２００の内周側から外周側に対して、ＰＣＡ（Ｐｏｗｅｒ  Ｃａｌｉｂｒａｔｉｏｎ  Ａｒｅａ）４００ａ、ＰＭＡ（Ｐｒｏｇｒａｍ  Ｍｅｍｏｒｙ  Ａｒｅａ）４００ｂ、リードインエリア４００ｃ、プリギャップエリア４００ｄ、データエリア４００ｅ及びリードアウトエリア４００ｆが設けられている。
【００４８】
ＰＣＡ４００ａは、実記録に先立って、記録速度や光ディスク２００の種別に応じたレーザー素子１ａの最適な記録パワー値を設定するために予約された記録領域である。なお、ＰＣＡ４００ａは、所定のテスト信号を記録するためのテストエリアと、対応するテストエリアについてのアドレスや当該テストエリアにおけるテスト信号の記録・未記録状態を示すフラグ値が記憶されるカウントエリアに区分される。
ＰＭＡ４００ｂは、記録済み又は予約済みトラックの開始及び終了アドレスや記録種別（Ｗｒｉｔｅ  Ｔｙｐｅ）などの管理データＰＭＤを記憶している。なお、管理データＰＭＤは、サブコーディングフレームにおけるサブコードデータとして記録されている。
リードインエリア４００ｃは、ＣＤ規格（標準記録モード）のデータ単位であるセッションの先頭に存在する各セッションの情報を記録する領域である。また、リードインエリア４００ｃ内にはＴＯＣ（Ｔａｂｌｅ  Ｏｆ  Ｃｏｎｔｅｎｔｓ）エリアが設定されており、光ディスク２００を終了化する（セッションをクローズする）際にはＰＭＡ４００ｂ内の管理データＰＭＤが当該ＴＯＣエリアに記録される。
プリギャップエリア４００ｄは、各トラックの間隔（ギャップ）を設定した領域であり、データエリア４００ｅは、データの記録及び再生が実際に行われるユーザー利用可能領域である。また、リードアウトエリア４００ｆは、各セッションの終了を示すための領域である。
【００４９】
＝＝＝  高密度記録モードの場合  ＝＝＝
つぎに、高密度記録モードの場合に採用される光ディスク（ＣＤメディア）２００のディスクフォーマットについて図４を用いて説明する。
高密度記録モードの場合の光ディスク２００のディスクフォーマット４１０では、光ディスク２００の内周側から外周側に対して、フォーマットエリア（『管理領域』）４１０ａ、ＰＣＡ４１０ｂ、ＰＭＡ（『管理領域』）４１０ｃ、データエリア（『データ領域』）４１０ｄ及びリードアウトエリア４１０ｅが設けられている。なお、フォーマットエリア４１０ａとＰＣＡ４１０ｂの配置順序を逆にする場合も考えられる。
【００５０】
高密度記録モードのディスクフォーマット４１０は、標準記録モードのディスクフォーマット４００と比較すると、フォーマットエリア４１０ａがＰＣＡ４００ａに、ＰＣＡ４１０ｂがＰＭＡ４００ｂに、ＰＭＡ４１０ｃがリードインエリア４００ｃにそれぞれ設定されている。また、データエリア４１０ｄは、プリギャップエリア４００ｄから開始されており、リードアウトエリア４１０ｅの直前まで設定されている。
【００５１】
なお、フォーマットエリア４１０ａは、高密度記録モードにおいて光ディスク２００のフォーマット処理が実行された場合に、所定のデータが記録される領域である。なお、所定のデータとしては、標準記録モードのＰＣＡ４００ａに記録するデータとは無関係なデータ（例えば、全て”０”）としてもよいし、製造者識別ＩＤ、製造型番及び高密度記録モードのディスクフォーマットを示す識別コード（『管理データ』）などの当該光ディスク２００を識別するための識別データを記録してもよい。
また、ＰＭＡ４１０ｃは、ＴＯＣエリアとしても利用される。すなわち、ＰＭＡ４１０ｃには標準記録モードの場合と同様に管理データＰＭＤ（『管理データ』）が記録されることになり、光ディスク２００を終了化する（セッションをクローズする）際には当該管理データＰＭＤがＴＯＣとして利用される。
【００５２】
なお、図５には、ＰＭＡ４１０ｃに記録する管理データＰＭＤの一例を示している。管理データＰＭＤとしては、当該光ディスク２００を識別するためのディスク識別ＩＤ、当該光ディスク２００の総ディスク容量、記録済み又は予約済みトラックの開始及び終了アドレス、データ領域に記録されているデータ量、ＴＡＯ（Ｔｒａｃｋ  Ａｔ  Ｏｎｃｅ）やＤＡＯ（Ｄｉｓｋ  Ａｔ  Ｏｎｃｅ）などの記録種別（Ｗｒｉｔｅ  Ｔｙｐｅ）、追記禁止フラグである。
【００５３】
以上の構成により、高密度記録モードのディスクフォーマット４１０は、標準記録モードのディスクフォーマット４００と比較すると、プリギャップエリア４００ｄの省略などによって高密度記録を可能としている。
【００５４】
＜ＡＴＩＰアドレスとＰＳＮアドレスの関係＞
＝＝＝  ＡＴＩＰアドレス  ＝＝＝
ＡＴＩＰアドレスについて詳細に説明する。
図６には、光ディスク装置１００が、光ディスク２００のプリグルーブの物理的なウォブリング情報をデコードして得られるＡＴＩＰアドレスの設定情報が示されている。このＡＴＩＰアドレスは、光ディスク２００の記録トラックに付与された物理アドレスとしての一面と、光ディスク装置１００が光ディスク２００への記録又は再生の制御するために用いる論理アドレスとしての一面がある。
【００５５】
データエリアの最内周側に相当するＡＴＩＰアドレス（以下、第１の基準ＡＴＩＰアドレスと称する。）は、”００（分）：００（秒）：００（フレーム）”である。そして、このデータエリアの最内周側から外周側に向かっての記録領域（以下、外周側記録領域と称する。）では、”１秒間＝７５フレーム”の換算にて、第１の基準ＡＴＩＰアドレスを１フレーム単位で単純増加していったＡＴＩＰアドレスが付与される。なお、本発明では、外周側記録領域におけるＡＴＩＰアドレスの最大値を”８９（分）：５９（秒）：７４（フレーム）”としている。
【００５６】
一方、第１の基準ＡＴＩＰアドレスより内周側の記録領域（以下、内周側記録領域と称する。）は、ＰＣＡやＰＭＡなどユーザーが使用不可能な予約領域である。この内周側記録領域にもＡＴＩＰアドレスが付与されている。本発明では、例えば、内周側記録領域におけるＡＴＩＰアドレスの最小値（以下、第２の基準ＡＴＩＰアドレスと称する。）を、”９０（分）：００（秒）：００（フレーム）”としている。そして、内周側記録領域では、外周側記録領域と同様に、”１秒間＝７５フレーム”の換算にて、第２の基準ＡＴＩＰアドレスを１フレーム単位で単純増加していったＡＴＩＰアドレスが付与されることになる。
【００５７】
＝＝＝  ＰＳＮアドレス  ＝＝＝
ＰＳＮアドレスについて詳細に説明する。
図６には、光ディスク装置１００が、光ディスク２００への記録又は再生を高密度記録モードにて行う場合において、論理アドレスとして用いるＰＳＮアドレスの設定情報が示されている。
【００５８】
ここで、ＰＳＮアドレスとは、当該ＡＴＩＰアドレスとしての絶対アドレスを”ｘ”とする場合に、”ｙ＝ｎ×（ｘ−ｍ）＋ｍ”によって算出される高密度記録用アドレス（ｙ）を示す。ここで、”ｎ”は記録密度についての倍率（標準記録モードの倍率を１とする）であり、２．０倍の記録密度であれば”ｎ＝２．０”である。また、”ｍ”は基準アドレスである。
【００５９】
すなわち、ＰＳＮアドレスは、絶対アドレス”ｘ”に基づいた単位時間（”１／７５”秒間）に相当する記録領域（１ＡＴＩＰ区間）を、記録密度についての倍率（ｎ）によって区分するという高密度記録モードのデータフォーマットに従って、１ＡＴＩＰ区間の論理的な区分領域に付与されることになる。このＰＳＮアドレスを用いた高密度記録モードによる記録によって、１ＡＴＩＰ区間にはｎ倍のデータが記録され、その結果、光ディスク２００の記録密度はｎ倍となる。
【００６０】
なお、本発明では、記録密度の倍率（ｎ）を”２”とし、データエリアの最内周側のＰＳＮアドレス（ｍ）を”３００００Ｈ（Ｈｅｘａｄｅｃｉｍａｌ  ：１６進）”とする。この場合、外周側記録領域のＡＴＩＰアドレスに対応づけられるＰＳＮアドレス（ｙ）は、”ｙ＝２×（ｘ（１６進）−３００００Ｈ）＋３００００Ｈ”として算出される。例えば、”００（分）：００（秒）：０１（フレーム）”のＡＴＩＰアドレスに対応するＰＳＮアドレスは、”３０００２Ｈ＝２×（３０００１Ｈ−３００００Ｈ）＋３００００Ｈ”である。
【００６１】
このように、ＡＴＩＰアドレスとＰＳＮアドレスは相互に対応づけられており、光ディスク装置１００は、高密度記録モードによる光ディスク２００へのアクセス制御において、ＰＳＮアドレスに限らずＡＴＩＰアドレスを用いることが可能である。
【００６２】
＜システム制御マイコンの動作＞
システム制御マイコン１５によるディスク判別処理について、図７のフローチャートを用いて説明する。なお、以下に説明する動作は、特に断らない限りシステム制御マイコン１５のディスク判別処理部１５ａにて行われるものとする。
【００６３】
まず、光ディスク（ＣＤメディア）２００が当該光ディスク装置１００のターンテーブル（不図示）に装着されると、レーザー駆動回路１６が当該装着された光ディスク２００を再生状態とすべく光学ヘッド１のレーザーダイオード１ａをレーザー発光駆動する。このとき、システム制御マイコン１５は、当該装着された光ディスク２００からの反射光量レベルに基づいて、当該装着された光ディスク２００が記録可能なＣＤ−Ｒディスク（又はＣＤ−ＲＷディスクなど）か否かを判別する（Ｓ７００）。
【００６４】
ここで、ＣＤ−Ｒディスクと判別されなかった場合には（Ｓ７００：ＮＯ）、引き続いて、再生専用のＣＤメディアかＤＶＤメディアを判別するための周知な判別ルーチンが行われることになる（Ｓ７０１）。一方、ＣＤ−Ｒディスクと判別された場合には（Ｓ７００：ＹＥＳ）、システム制御マイコン１５は、当該ＣＤ−Ｒディスク上に既に記録データが記録されているか否かを判別する（Ｓ７０２）。なお、この判別ルーチンとしては、例えば、当該装着された光ディスク２００から読み出された記録データに基づいてＰＬＬ回路８がロック状態になるか否かを監視することで行われる。
【００６５】
Ｓ７０２において、記録データ無しと判別された場合には（Ｓ７０２：ＮＯ）、システム制御マイコン１５は、未記録状態のＣＤ−Ｒディスクとして判別することになる（Ｓ７０３）。一方、記録データ有りと判別された場合には（Ｓ７０２：ＹＥＳに設定）、標準記録モードのディスクフォーマット４００におけるＰＭＡ４００ｂへのデコード処理を開始すべく標準記録モード用デコーダ１０などの制御を行う（Ｓ７０４）。
【００６６】
つぎに、システム制御マイコン１５は、ＰＭＡ４００ｂに対するデコード処理が行われた際に、ＰＭＡ４００ｂからサブコードデータが検出されたか否かを判別する（Ｓ７０５）。ところで、ＰＭＡ４００ｂからサブコードデータが検出された場合（Ｓ７０５：ＹＥＳ）、当該装着された光ディスク（記録済みＣＤ−Ｒディスク）２００は、標準記録モードのデータフォーマットに基づいて、ＰＭＡ４００ｂに管理データＰＭＤがサブコードデータとして記録された状態にある。そこで、システム制御マイコン１５は、当該装着された光ディスク２００を標準記録モードによる記録済みＣＤ−Ｒディスクとして判別する（Ｓ７０６）。
【００６７】
一方、ＰＭＡ４００ｂからサブコードデータが検出されなかった場合には（Ｓ７０５：ＮＯ）、高密度記録モードのディスクフォーマット４１０におけるＰＭＡ４１０ｃへのデコード処理を開始すべく高密度記録モード用デコーダ９などの制御を行う（Ｓ７０７）。ここで、ＰＭＡ４１０ｃに対するデコード処理が行われる場合、高密度記録モード用デコーダ９は、１セクタごとの管理データＰＭＤに付加されたパリティデータ（図３参照）に基づいて、当該管理データＰＭＤの誤り検出及び誤り訂正を行い、当該誤り検出及び誤り訂正を行った結果を示すデータをシステム制御マイコン１５に送信を行う。
【００６８】
つぎに、システム制御マイコン１５は、高密度記録モード用デコーダ９から受信した誤り検出及び誤り訂正の結果（『デコード結果』）に基づいて、ＰＭＡ４１０ｃから管理データＰＭＤが正常に検出されたか否かを判別する（Ｓ７０８）。この判別の結果、管理データＰＭＤが正常に検出された場合には（Ｓ７０８：ＹＥＳ）、当該装着された光ディスク２００を高密度記録モードによる記録済みＣＤ−Ｒディスクとして判別する（Ｓ７０９）。
【００６９】
ところで、当該装着された光ディスク２００上にゴミや傷があるために、ＰＭＡ４１０ｃから管理データＰＭＤの光学的な読み出しが正常に行われない場合がある。また、ＰＭＡ４１０ｃ内では管理データＰＭＤの更新が頻繁に行われるので、その他のデータ領域４１０ｄなど比較して不正なデータがＰＭＡ４１０ｃに記録される可能性が高くなる。なお、不正なデータとしては、例えば、実際のディスク容量を超えたディスク容量などが考えられる。
【００７０】
これらの場合では、Ｓ７０８において、ＰＭＡ４１０ｃから管理データＰＭＤが正常に検出されないことになる（Ｓ７０８：ＮＯ）。そこで、システム制御マイコン１５は、光学ヘッドサーボ回路３を介して、ＰＭＡ４１０ｃから管理データＰＭＤを読み出すべく位置決めされた状態にある光学ヘッド１を、データ領域４１０ｄ内の記録データの有無を検証すべく所定位置に移動させる。なお、この所定位置としては、例えば、データ領域４１０ｄの先頭ブロック（３００１０ｈなど）から記録データを読み出せる位置としてもよいし、データ領域４１０ｄの先頭ブロックにある記録データを無視して所定アドレス（４００００ｈなど）で指定されたブロックから記録データを読み出せる位置としてもよい。こうした光学ヘッド１の移動が完了した後、光学ヘッド１のレーザーダイオード１ａがレーザー発光駆動されて、ＲＦ信号２値化処理部４では、当該装着された光ディスク２００からの反射光に基づいて２値化ＲＦ信号が生成される状態となる。
【００７１】
つぎに、システム制御マイコン１５は、ＲＦ信号２値化処理部４の出力に基づいて、データ領域４１０ｄ内の記録データに基づいたＲＦ信号の有無についての検証を行う（Ｓ７１０）。ここで、ＲＦ信号無しと判別された場合には（Ｓ７１１：ＮＯ）、当該装着された光ディスク２００を対象外ディスクとして判別する（Ｓ７１４）。一方、ＲＦ信号有りと判別された場合には（Ｓ７１１：ＹＥＳ）、当該ＲＦ信号有りのデータ領域４１０ｄに対する記録データのデコード処理を開始すべく高密度記録用デコーダ９の制御を行う（Ｓ７１２）。
【００７２】
なお、Ｓ７１２においてデコード処理を行う領域としては、ＲＦ信号有りの領域であり且つ少なくとも先頭ブロックを含めた複数ブロックとしてもよい。このように、データ領域４１０ｄに対するデコード処理の開始前にＲＦ信号の有無を検証することによって、ＲＦ信号無しの領域について無意味なデコード処理を行うことを防止できる。また、ＲＦ信号有りと判別された場合には、先頭ブロックに記録データ（ＲＦ信号）が記録されている可能性が高い。このため、少なくとも先頭ブロックに対してデコード処理を必ず行うように設定しておけば、ＰＭＡ４１０ｃからの光学ヘッド１の移動量が小さいために当該デコード処理を速やかに開始することができる。
【００７３】
つぎに、前述したＰＭＡ４１０ｃに対するデコード処理（Ｓ７０７）が行われる場合と同様に、高密度記録モード用デコーダ９は、先頭ブロック内の１セクタごとの記録データに付加されたパリティデータ（図３参照）に基づいて、当該記録データの誤り検出及び誤り訂正を行い、当該誤り検出及び誤り訂正を行った結果を示すデータをシステム制御マイコン１５に送信を行う。そこで、システム制御マイコン１５は、高密度記録モード用デコーダ９から受信した誤り検出及び誤り訂正の結果（『デコード結果』）に基づいて、データ領域４１０ｄから記録データが正常に検出されたか否かを判別する（Ｓ７１３）。この判別の結果、記録データが正常に検出されなかった場合には（Ｓ７１３：ＮＯ）、当該装着された光ディスク２００を対象外ディスクとして判別する（Ｓ７１４）。
【００７４】
一方、記録データが正常に検出された場合には（Ｓ７１３：ＹＥＳ）、Ｓ７０８において正常でないと判別されたＰＭＡ４１０ｃ内の管理データＰＭＤに関して、当該管理データＰＭＤの内容を補正する補正データ（図５参照）を生成する。そして、この生成した補正データをＰＭＡ４１０ｃに対して記録を行った後（Ｓ７１５）、当該装着された光ディスクを高密度記録モードによって記録された光ディスクと判別する。なお、このように管理データＰＭＤの内容を補正することによって、次回以降において当該装着された光ディスク２００の記録又は再生を行う場合には、Ｓ７０８においてＰＭＡ４１０ｃ内の管理データＰＭＤが正常に検出されたと判別されるために、速やか且つ処理負荷がかからずに当該装着された光ディスク２００を高密度記録モードによって記録された光ディスクとして判別できる。
【００７５】
以上、本発明に係る光ディスク装置及び光ディスクの判別方法によれば、ＰＭＡ４１０ｃ内の管理データＰＭＤが正常に検出されない場合であっても、データ領域４１０ｄ内の高密度記録モードによって記録された記録データが正常に検出された（デコード結果が正常である）場合には、装着された光ディスク２００を高密度記録モードによって記録された光ディスク２００として的確に判別できる。このため、光ディスク装置１００の誤動作を防止できるとともに、既にデータ領域４１０ｄ内に記録されている記録データを無駄にすることなく再生可能とする。
【００７６】
以上、本発明の実施形態について、その実施形態に基づき具体的に説明したが、これに限定されるものではなく、その要旨を逸脱しない範囲で種々変更可能である。
【００７７】
【発明の効果】
本発明によれば、標準記録モード又は高密度記録モードを選択して実行可能な光ディスク装置において、高密度記録モードで記録された光ディスクを的確に判別可能な光ディスク装置及び光ディスクの判別方法を提供することができる。
【図面の簡単な説明】
【図１】本発明の一実施形態に係る光ディスク装置を含めたシステムの概略構成図である。
【図２】標準記録モードの場合に採用されるデータフォーマットを説明する図である。
【図３】高密度記録モードの場合に採用されるデータフォーマットを説明する図である。
【図４】標準記録モード及び高密度記録モードの場合に採用されるディスクフォーマットを説明する図である。
【図５】高密度記録モードの場合のＰＭＡに記録する管理データＰＭＤのデータ構造の一例である。
【図６】ＡＴＩＰアドレスとＰＳＮアドレスの関係を説明する図である。
【図７】本発明の一実施形態に係るシステム制御マイコンの動作を説明するフローチャートである。
【符号の説明】
１    光学ヘッド                    １ａ  レーザー素子
２    フロントエンド処理部          ３    光学ヘッドサーボ回路
４    ＲＦ信号２値化処理部          ５    ＷＢＬ検出部
６    ＡＴＩＰデコーダ              ６ａ  ＣＲＣチェック回路
７    ＰＳＮデコーダ                ８    ＰＬＬ回路
９    高密度記録モード用デコーダ    １０  標準記録モード用デコーダ
１１  高密度記録モード用エンコーダ  １２  標準記録モード用エンコーダ
１３  インタフェース部              １４  ＲＡＭ
１５  システム制御マイコン          １５ａ  ディスク判別処理部
１６  レーザー出力制御部            １７  レーザー駆動回路
１８  スピンドルモーター            １９  モーター駆動回路
２０  モーター制御回路
１００  光ディスク装置
２００  光ディスク
４００  ディスクフォーマット（標準記録モード）
４１０  ディスクフォーマット（高密度記録モード）
【図１】
2005018893.tif 000003
【図２】
2005018893.tif 000004
【図３】
2005018893.tif 000005
【図４】
2005018893.tif 000006
【図５】
2005018893.tif 000007
【図６】
2005018893.tif 000008
【図７】
2005018893.tif 000009